(57)【要約】  【課題】再生画像の邪魔にならないように画像に関する情報を表示する電子カメラを提供する。  【解決手段】電子カメラは、記録媒体２７に記録されている画像データによる再生画像をカラー液晶ディスプレイ２４に表示するために、通常表示モードと省略表示モードとを備える。省略表示モードの場合は、撮影情報データのうち露出補正の設定状態、撮影レンズの焦点距離、およびフラッシュライトの使用状態に関する項目の表示を省略することによって撮影情報データの表示項目を減らし、モノクロ液晶ディスプレイ３１に表示可能な項目はカラー液晶ディスプレイ２４でなくモノクロ液晶ディスプレイ３１に表示する。これにより、再生画像に重ね表示する文字などを少なくできるので、カラー液晶ディスプレイ２４に表示される再生画像の内容がわかりやすくなる。通常表示モードの場合は、当該画像データに対応する撮影情報データの全ての項目を示す文字群を、再生画像に重ねてカラー液晶ディスプレイ２４に表示させる。  【選択図】図２
2006129370.tif 000002
【特許請求の範囲】
【請求項１】
画像データによる再生画像を表示する画像表示手段と、
切り換え指示に応じて、前記再生画像とともに前記画像データに関する情報を前記画像表示手段に表示する第１の再生表示モードと、前記再生画像とともに前記画像表示手段に表示する前記画像データに関する情報を前記第１の再生表示モード時より少なくする第２の再生表示モードとを切り換える再生モード制御手段とを備えることを特徴とする電子カメラ。
【請求項２】
請求項１に記載の電子カメラにおいて、
撮影に関する情報を表示する情報表示手段をさらに備え、
前記第２の再生表示モードは、(1)表示する情報の項目を削減する、(2)前記表示する項目の一部または全部を前記画像表示手段に代えて前記情報表示手段に表示する、(3)前記表示する項目を削減するとともに、前記削減後の項目の一部または全部を前記画像表示手段に代えて前記情報表示手段に表示する、のいずれか一態様によって前記画像表示手段に表示する前記画像データに関する情報を少なくすることを特徴とする電子カメラ。
【請求項３】
請求項２に記載の電子カメラにおいて、
前記情報表示手段は、筐体に配設される表示素子もしくはファインダ内に配設される表示素子によって構成され、撮影モード時に少なくともシャッタ速度および絞り値を示す表示を行うことを特徴とする電子カメラ。
【請求項４】
請求項１〜３のいずれか一項に記載の電子カメラにおいて、
前記画像表示手段は、液晶表示モニタもしくは電子ビューファインダによって構成されることを特徴とする電子カメラ。
【発明の詳細な説明】
【技術分野】
【０００１】
本発明は、撮像素子などで撮像された画像データを記録する電子カメラに関する。
【背景技術】
【０００２】
電子画像データによる再生画像をモニタなどに表示する際に、当該画像を撮影した日時やシャッタ速度、絞り値などの撮影条件を示す文字画像を再生画像とともに表示する技術が知られている。特許文献１には、撮影条件、撮影日等の情報を２値ビットマップ化した文字画像をワークメモリ上に作成しておき、撮影画像（オリジナル画像）を上記ワークメモリと同サイズに縮小し、この縮小画像およびワークメモリ上の文字画像を合成して表示する技術が開示されている。
【０００３】
【特許文献１】特開平９−３３１４９９号公報
【発明の開示】
【発明が解決しようとする課題】
【０００４】
再生画像と合成表示する文字画像に含まれる文字が多くなると、再生画像の内容が文字に隠れてわかりにくくなってしまう。とくに、電子カメラに備えられているモニタに合成表示を行う場合には、構造上モニタの大きさが制約されてしまうことから問題になりやすい。
【課題を解決するための手段】
【０００５】
本発明による電子カメラは、画像データによる再生画像を表示する画像表示手段と、切り換え指示に応じて、再生画像とともに画像データに関する情報を画像表示手段に表示する第１の再生表示モードと、再生画像とともに画像表示手段に表示する画像データに関する情報を第１の再生表示モード時より少なくする第２の再生表示モードとを切り換える再生モード制御手段とを備えることを特徴とする。
請求項１に記載の電子カメラはさらに、撮影に関する情報を表示する情報表示手段を備えてもよく、この場合の第２の再生表示モードは、(1)表示する情報の項目を削減する、(2)表示する項目の一部または全部を画像表示手段に代えて情報表示手段に表示する、(3)表示する項目を削減するとともに、削減後の項目の一部または全部を画像表示手段に代えて情報表示手段に表示する、のいずれか一態様によって画像表示手段に表示する画像データに関する情報を少なくすることができる。
請求項２に記載の電子カメラにおいて、筐体に配設される表示素子もしくはファインダ内に配設される表示素子によって情報表示手段を構成し、撮影モード時に少なくともシャッタ速度および絞り値を示す表示を行うようにするとよい。
請求項１〜３のいずれか一項に記載の電子カメラにおいて、液晶表示モニタもしくは電子ビューファインダによって画像表示手段を構成するとよい。
【発明の効果】
【０００６】
本発明による電子カメラでは、再生画像とともに画像表示手段に表示する情報を少なくする再生表示モードに切り換えられるようにしたので、再生画像の邪魔にならないように適切に画像に関する情報を表示できる。
【発明を実施するための最良の形態】
【０００７】
以下、図面を参照して本発明を実施するための最良の形態について説明する。図１は、本発明の一実施の形態による電子カメラの外観図である。図１において電子カメラは、カメラ本体（筐体）１およびレンズ鏡筒２によって構成される。カメラ本体１には、光学ファインダ３、レリーズボタン４、カメラモードボタン５、撮影情報表示モードボタン６、消去ボタン７、十字キーボタン８、カラー液晶ディスプレイ（ＬＣＤ）２４およびモノクロ液晶ディスプレイ（ＬＣＤ）３１が設けられている。
【０００８】
図２は、図１の電子カメラの要部構成を説明するブロック図である。図２において、システムコントローラ（以下ＣＰＵとする）２８はマイクロコンピュータなどによって構成される。ＣＰＵ２８は、後述する各ブロックから出力される信号を入力して所定の演算を行い、演算結果に基づく制御信号を各ブロックへ出力する。
【０００９】
固体撮像素子１５は、ＣＣＤ二次元カラーイメージセンサなどによって構成される。撮像素子１５は、レンズ鏡筒２（図１）内に配設される撮影レンズ１１を通過した被写体光束による像を撮像し、撮像信号（画素信号）をＡ／Ｄ変換器１７へ出力する。Ａ／Ｄ変換器１７は、アナログ撮像信号をディジタル信号に変換する。
【００１０】
バッファメモリ２０はＤＲＡＭなどで構成され、ディジタル変換後の画像データを一時格納する。画像処理部２１は、バッファメモリ２０に記憶されているディジタル変換後の画像データに輝度信号生成処理、色信号生成処理、およびＷＢ（ホワイトバランス）処理などの色信号処理を施すことにより、所定フォーマットのカラー画像データを生成する。カラー画像データは、ＤＲＡＭなどで構成されるバッファメモリ２２に一時格納される。
【００１１】
表示処理部２３は、バッファメモリ２２に記憶されているカラー画像データを用いてカラー液晶ディスプレイ２４の表示解像度に応じた画像表示信号を生成し、生成した信号をカラー液晶ディスプレイ２４へ出力する。表示処理部２３はまた、メニュー画面などのテキスト表示信号を生成してカラー液晶ディスプレイ２４へ出力する。カラー液晶ディスプレイ（液晶表示モニタ）２４は、画像表示信号によるカラー画像を再生表示したり、メニューや操作ガイドなどのテキスト情報を表示したりする。
【００１２】
圧縮／伸長処理部２５は、バッファメモリ２２に記憶されているカラー画像データを所定の形式で圧縮する圧縮（符号化）処理、圧縮されている画像データを伸長する伸長（復号化）処理などを行う。バッファメモリ２２は、各種処理中および処理後の画像データを一時的に格納する場合にも使用される。
【００１３】
撮影情報処理部２９は、電子カメラに設定されているシャッタ速度や絞り値、機能の設定状態などを示す信号をそれぞれ入力し、撮影情報データとして処理する。機能の設定状態には、電子カメラの名称、記録ファイルの名称、撮影日時、オートフォーカス動作の設定状態、ＷＢ処理の設定状態、画質モードの設定状態、画像サイズの設定状態、露出補正の設定状態、撮影レンズの焦点距離、フラッシュライトの使用状態、フォーカスエリアの情報、測光エリアの情報などが含まれる。
【００１４】
表示処理部３０は、撮影情報データを用いてモノクロ液晶ディスプレイ３１の表示セグメント、および後述するファインダ内ディスプレイ３２の表示セグメントに応じた撮影情報表示信号を生成し、生成した信号をモノクロ液晶ディスプレイ３１、ファインダ内ディスプレイ３２へそれぞれ出力する。モノクロ液晶ディスプレイ３１は、撮影情報表示信号による撮影条件や機能の設定状態を示す表示を行う。
【００１５】
ファインダ内ディスプレイ３２は、たとえば、光学ファインダ３（図１）によるファインダ視野の下部に配設されるモノクロ液晶ディスプレイによって構成される。ファインダ内ディスプレイ３２が表示処理部３０で生成された撮影情報表示信号による撮影条件や機能の設定状態を示す表示を行うことにより、撮影者が光学ファインダ３で被写体（光学像）を観察する際に、光学ファインダ３の接眼レンズから目を離すことなしに撮影条件や機能の設定状態を確認できる。
【００１６】
記録／再生処理部２６は、記録媒体２７に対して画像データ、撮影情報データを記録したり、記録媒体２７に記録されている画像データ、撮影情報データを読み出す処理を行う。記録媒体２７は、電子カメラ本体１に対して着脱可能なメモリカードなどによって構成される。撮影モードにおいて、記録媒体２７は圧縮／伸長処理部２５で符号化された画像データ、撮影情報処理部２９で処理された撮影情報データを記録する。なお、撮影情報データは、画像データに関連づけて記録される。
【００１７】
再生モードにおいて、記録媒体２７に記録されている画像データが読み出されて圧縮／伸長処理部２５へ送られ、記録媒体２７に記録されている撮影情報データが読み出されて表示処理部３０へ送られる。表示処理部２３は、圧縮／伸長処理部２５によって復号化された画像データを用いて画像表示信号を生成する。表示処理部３０は、撮影情報データを用いて撮影情報表示信号を生成する。
【００１８】
操作部材４０は、レリーズスイッチ４１、カメラモードスイッチ４２、撮影情報表示モードスイッチ４３、消去スイッチ４４、および十字キースイッチ４５を含み、設定操作に応じた操作信号をＣＰＵ２８へ出力する。ＣＰＵ２８は、操作部材４０から入力される操作信号に基づいて設定変更処理を行う。
【００１９】
レリーズスイッチ４１はレリーズボタン４（図１）に連動し、電子カメラに撮影を指示するための操作信号を出力する。カメラモードスイッチ４２はカメラモードボタン５（図１）に連動し、撮影モード／再生モードを切り換えるための操作信号を出力する。撮影情報表示モードスイッチ４３は撮影情報表示モードボタン６（図１）に連動し、通常表示モード／省略表示モードを切り換えるための操作信号を出力する。通常表示モードは、再生モードにおいて再生画像をカラー液晶ディスプレイ２４に表示する場合に、再生画像に重ねて撮影情報を省略しないで表示するモードである。省略表示モードは、カラー液晶ディスプレイ２４以外の他のディスプレイに表示可能な撮影情報を当該他のディスプレイに表示させることにより、再生画像に重ね表示する撮影情報を少なくするモードである
【００２０】
消去スイッチ４４は消去ボタン７（図１）に連動し、記録媒体２７に記録されている画像データから不要な画像を消去するための操作信号を出力する。十字キースイッチ４５は十字キーボタン８（図１）に連動し、操作状態に応じて上下左右の方向を示す操作信号を出力する。
【００２１】
本発明は、以上の電子カメラで再生モード時に行われる省略表示モードに関する。
【００２２】
電子カメラのＣＰＵ２８で行われるカメラ処理の流れについて、図３のフローチャートを参照して説明する。図３による処理は、カメラの不図示のメインスイッチがオンされると繰り返し行われる。
【００２３】
図３のステップＡ１において、ＣＰＵ２８は撮影モードか否かを判定する。ＣＰＵ２８は、電子カメラが撮影モードに設定されている場合にステップＡ１を肯定判定してステップＡ２へ進み、電子カメラが再生モードに設定されている場合にはステップＡ１を否定判定し、ステップＡ５へ進む。
【００２４】
（撮影モード）
ステップＡ２において、ＣＰＵ２８はレリーズスイッチ４１がオンされたか否かを判定する。ＣＰＵ２８はレリーズスイッチ４１からオン操作信号が入力されるとステップＡ２を肯定判定してステップＡ３へ進み、レリーズスイッチ４１からオン操作信号が入力されない場合にはステップＡ２を否定判定し、ステップＡ１へ戻る。
【００２５】
ステップＡ３において、ＣＰＵ２８は撮影を開始させる。具体的には測光値（被写体光が入射される状態でＣＣＤ１５から出力される画素信号の累積加算値）を用いて周知の露出演算を行うことにより、露出制御値を決定する。不図示の絞り制御機構に制御絞り値まで絞りを絞り込ませた上で撮像素子１５に電荷蓄積を開始させる。これにより、撮像素子１５は撮像面上に結像されている被写体像を撮像する。制御シャッタ速度に対応する露光時間が終了すると電荷蓄積を終了させ、撮像素子１５から画素信号をＡ／Ｄ変換器１７へ逐次出力させる。これにより、ディジタル化された画像データ（生データ）が取得され、バッファメモリ２０に記憶される。また、制御シャッタ速度、制御絞り値などを示す信号を用いて撮影情報処理部２９で処理された撮影情報データもバッファメモリ２０に記憶される。
【００２６】
ステップＡ４において、ＣＰＵ２８はバッファメモリ２０に記憶した撮影画像データ、撮影情報データを記録媒体２７に記録させる。具体的には、画像処理部２１に指令を送り、バッファメモリ２０内の画像データに対して周知のＷＢ処理を行わせ、ＷＢ処理後の画像データをバッファメモリ２２に格納させる。ＣＰＵ２８はさらに、バッファメモリ２２内に格納されているＷＢ処理後の画像データを圧縮し、圧縮後のデータを記録媒体２７に記録させるとともに、画像データに関連づけて撮影情報データを記録媒体２７に記録させて図３による処理を終了する。
【００２７】
（再生モード）
上述したステップＡ１を否定判定して進むステップＡ５において、ＣＰＵ２８は省略表示モードに設定されているか否かを判定する。ＣＰＵ２８は、省略表示モードに設定する操作信号が入力された場合にステップＡ５を肯定判定してステップＡ６１へ進み、通常表示モードに設定する操作信号が入力された場合にステップＡ５を否定判定してステップＡ６２へ進む。
【００２８】
ステップＡ６１において、ＣＰＵ２８は、十字キースイッチ４５からの操作信号によって指定されるファイル番号のデータ（画像データ、撮影情報データ）を記録媒体２７から読み出す。ＣＰＵ２８は、撮影情報データを用いて図４に示す内容をモノクロ液晶ディスプレイ３１に表示させてステップＡ７へ進む。図４は、モノクロ液晶ディスプレイ３１の表示例を説明する図である。図４において、電池の残容量を示す電池マーク、制御シャッタ速度（１／２５０秒）を示す「２５０」、制御絞り値を示す「Ｆ５．６」、画質モードを示す「ＦＩＮＥ」、画像サイズを示す「Ｍ」、オートフォーカス動作を繰返すことを示す「ＡＦ−Ｃ」、オートフォーカス動作時のフォーカス検出エリアを示すフォーカスエリアマーク、測光時の測光エリアを示すマーク、撮影コマ数を示す「１８」、ＷＢ処理を自動で行うことを示す「WB Ａ」がそれぞれ表示されている。上記表示のうち、電池マークは撮影情報データと関係なく、最新の電池の状態を示すように表示される。これらの表示は、ＣＰＵ２８が表示処理部３０へ指令を送り、撮影情報表示信号を生成させることによって行われる。
【００２９】
なお、図示を省略しているが、ファインダ内ディスプレイ３２によってファインダ視野内にもモノクロ液晶ディスプレイ３１が表示する項目と共通する項目の撮影情報が表示される。
【００３０】
ステップＡ７において、ＣＰＵ２８は、ステップＡ６１で記録媒体２７から読み出した画像データおよび撮影情報データを用いて、図５に示す内容の再生画像をカラー液晶ディスプレイ２４に表示させて図３による処理を終了する。図５は、省略表示モード時のカラー液晶ディスプレイ２４の表示例を説明する図である。図５において、画像データによる再生画像に重ねて文字列「−−−ＤＳＣ＿０００１．ＪＰＧ  ２００４／０９／０１  ０８：２７：０１」が表示されている。文字列のうち、ブランクを示す「−−−」の位置には電子カメラの名称を示す文字などが表示される（本実施形態では名称が未登録のためブランク表示されている）。文字列「ＤＳＣ＿０００１．ＪＰＧ」は、再生表示中のデータが記録されているファイルの名称を示す。「０００１」がファイル番号に対応する。文字列「２００４／０９／０１  ０８：２７：０１」は、再生表示中のデータ撮影日時を示す。このような文字列は、たとえば、再生画像の下部にオーバーレイ表示される。再生画像に文字列を合成表示するための表示信号の生成は、表示処理部２３が撮影情報データの一部を用いて行う。
【００３１】
ステップＡ５を否定判定して進むステップＡ６２において、ＣＰＵ２８は、十字キースイッチ４５からの操作信号によって指定されるファイル番号のデータ（画像データ、撮影情報データ）を記録媒体２７から読み出す。ＣＰＵ２８は、記録媒体２７から読み出した画像データを用いて、図６に示す内容の再生画像をカラー液晶ディスプレイ２４に表示させて図３による処理を終了する。図６は、通常表示モード時のカラー液晶ディスプレイ２４の表示例を説明する図である。図６において、画像データによる再生画像に重ねて文字群が表示されている。
【００３２】
再生画像に文字群を合成表示するための表示信号の生成は、表示処理部２３が撮影情報データの全てを用いて行う。文字群が示す撮影情報の項目は、ステップＡ６１においてモノクロ液晶ディスプレイ３１に表示される項目、およびステップＡ７において再生画像に重ね表示される文字列が示す項目の双方を合わせた項目より多い。つまり、ステップＡ６２において再生画像に合成表示される文字群は、撮影情報データに含まれる情報を削減することなく示すものである。
【００３３】
以上説明した実施形態によれば、次の作用効果が得られる。
（１）記録媒体２７に記録されている画像データによる再生画像を電子カメラのカラー液晶ディスプレイ２４に表示するために、通常表示モードと省略表示モードとを備える。省略表示モードの場合は、撮影情報データのうち露出補正の設定状態、撮影レンズの焦点距離、およびフラッシュライトの使用状態に関する項目の表示を省略することによって撮影情報データの表示項目を減らし、モノクロ液晶ディスプレイ３１に表示可能な項目はカラー液晶ディスプレイ２４でなくモノクロ液晶ディスプレイ３１に表示する。すなわち、再生画像に対応する撮影情報データのうち、図４に示す内容をモノクロ液晶ディスプレイ３１に表示させるとともに、カラー液晶ディスプレイ２４に表示する再生画像に重ねて文字列「−−−ＤＳＣ＿０００１．ＪＰＧ  ２００４／０９／０１  ０８：２７：０１」を合成表示させる（図５）。合成表示する文字列は、モノクロ液晶ディスプレイ３１に表示されない項目（図５の例では、カメラ名称、ファイル名称、および撮影日時）を示す。これにより、再生画像に重ね表示する文字などを少なくできる（図５の例では文字列が一列）ので、カラー液晶ディスプレイ２４に表示される再生画像の内容がわかりやすくなる。また、カラー液晶ディスプレイ２４に多数の文字群を表示しないことにより、再生画像をコマ送りする際にカラー液晶ディスプレイ２４の表示画面を煩わしく感じることがない。
【００３４】
（２）通常表示モードの場合は、当該画像データに対応する撮影情報データの全ての項目を示す文字群を、再生画像に重ねてカラー液晶ディスプレイ２４に表示させる。これにより、カラー液晶ディスプレイ２４に表示される再生画像に関する全ての撮影情報が、カラー液晶ディスプレイ２４の表示画面のみから得られる。
【００３５】
（３）上記通常表示モード／省略表示モードを切り換え可能に構成したので、使用者の目的に応じて撮影情報についての表示態様を変更することができる。
【００３６】
上述した説明では、モノクロ液晶ディスプレイ３１がカメラ名称、ファイル名称、および撮影日時について表示しない例を説明したが、これらの項目についてもモノクロ液晶ディスプレイ３１に表示させるようにしてもよい。この場合には、省略表示モード時に表示する撮影情報データの項目の全てをモノクロ液晶ディスプレイ３１で表示するので、再生画像に重ねてカラー液晶ディスプレイ２４に合成表示させる文字列を不要にできる。この結果、カラー液晶ディスプレイ２４に表示される再生画像の内容がさらにわかりやすくなる。
【００３７】
省略表示モード時に撮影情報データの表示項目を減らすだけで、モノクロ液晶ディスプレイ３１には撮影情報データの表示をさせなくてもよい。この場合でも、カラー液晶ディスプレイ２４において再生画像に重ね表示する文字などを少なくできるので、カラー液晶ディスプレイ２４に表示される再生画像の内容がわかりやすくなる。
【００３８】
また、省略表示モード時に撮影情報データの表示項目を減らす代わりに、撮影情報データの表示項目の全てをモノクロ液晶ディスプレイ３１に表示させてもよい。この場合には、カラー液晶ディスプレイ２４において再生画像に重ね表示する文字などを不要にできるので、カラー液晶ディスプレイ２４に表示される再生画像の内容がわかりやすくなる。
【００３９】
上記の例では、省略表示モードにおいて、モノクロ液晶ディスプレイ３１およびファインダ内ディスプレイ３２に共通する撮影情報の項目を表示させるようにしたが、いずれか一方のディスプレイにのみ表示させるようにしてもよい。
【００４０】
本発明は、電子ビューファインダを備える電子カメラにも適用することができる。この場合には、上記実施形態において光学カラー液晶ディスプレイ２４に表示させていた内容を電子ビューファインダに表示させればよい。
【００４１】
電子ビューファインダとファインダ内ディスプレイ３２とを組み合わせるように構成してもよい。この場合のファインダ内ディスプレイ３２は、電子ビューファインダの表示部下部に配設される。これにより、撮影者が電子ビューファインダで被写体（表示像）を観察する際に、電子ビューファインダの接眼部から目を離すことなしに撮影条件や機能の設定状態を確認できる。図７は、省略表示モード時に必要な撮影情報の項目を全てファインダ内ディスプレイ３２に表示する場合のファインダ観察像を説明する図である。図７において、被写体像７１と文字列７２とが表示されている。
【００４２】
図７によれば、上記実施形態と同様に、省略表示モードでは露出補正の設定状態、撮影レンズの焦点距離、およびフラッシュライトの使用状態に関する項目の表示を省略することによって撮影情報データの表示項目を減らし、ファインダ内ディスプレイ３２に必要な表示項目は電子ビューファインダでなくファインダ内ディスプレイ３２に全て表示するようにしたので、電子ビューファインダによる再生画像に文字などを重ね表示させる必要がない。この結果、電子ビューファインダに表示される再生画像の内容がわかりやすくなる。また、電子ビューファインダに多数の文字群を表示しないことにより、再生画像をコマ送りする際に電子ビューファインダの表示画面を煩わしく感じることもない。
【００４３】
撮影情報データに含める項目、省略表示モードにおいて表示を省略する（減らす）項目、省略表示モードにおいてモノクロ液晶ディスプレイ３１（またはファインダ内ディスプレイ３２）に表示する項目、および省略表示モードにおいてカラー液晶ディスプレイ２４（または電子ビューファインダ）に表示する項目については、上述した実施形態の組み合わせにかかわらず、必要に応じて適宜変更してよい。
【００４４】
特許請求の範囲における各構成要素と、発明を実施するための最良の形態における各構成要素との対応について説明する。画像表示手段は、たとえば、カラー液晶ディスプレイ２４によって構成される。切り換え指示は、たとえば、通常表示モード／省略表示モードを切り換えるための操作信号が対応する。画像データに関する情報は、たとえば、撮影情報が対応する。第１の再生表示モードは、たとえば、通常表示モードが対応する。第２の再生表示モードは、たとえば、省略表示モードが対応する。再生モード制御手段は、たとえば、ＣＰＵ２８によって構成される。情報表示手段は、たとえば、モノクロ液晶ディスプレイ３１によって構成される。なお、以上の説明はあくまで一例であり、発明を解釈する上で、上記の実施形態の構成要素と本発明の構成要素との対応関係に何ら限定されるものではない。
【図面の簡単な説明】
【００４５】
【図１】本発明の一実施の形態による電子カメラの外観図である。
【図２】図１の電子カメラの要部構成を説明するブロック図である。
【図３】電子カメラのＣＰＵで行われるカメラ処理の流れを説明するフローチャートである。
【図４】モノクロ液晶ディスプレイの表示例を説明する図である。
【図５】省略表示モード時のカラー液晶ディスプレイの表示例を説明する図である。
【図６】通常表示モード時のカラー液晶ディスプレイの表示例を説明する図である。
【図７】省略表示モード時のファインダ観察像を説明する図である。
【符号の説明】
【００４６】
１…カメラ本体
２…レンズ鏡筒
１１…撮影レンズ
１５…撮像素子
１７…Ａ／Ｄ変換器
２０、２２…バッファメモリ
２１…画像処理部
２３、３０…表示処理部
２４…カラー液晶ディスプレイ
２８…ＣＰＵ
２９…撮影情報処理部
３１…モノクロ液晶ディスプレイ
３２…ファインダ内ディスプレイ
４０…操作部材
【図１】
2006129370.tif 000003
【図２】
2006129370.tif 000004
【図３】
2006129370.tif 000005
【図４】
2006129370.tif 000006
【図５】
2006129370.tif 000007
【図６】
2006129370.tif 000008
【図７】
2006129370.tif 000009